(57)【要約】  【課題】電気泳動装置などの表示装置においては、画面の書き換えに時間が掛かるものがあるため、参照者から見て裏側を書き換えることで、書き換え途中の画面が参照者から見えることを防ぐ。  【解決手段】参照者１が上半身に付けることができ、表示データを無線伝送方式により送信するサーバー装置３と、両面に２つの表示部、サーバー装置３から表示データを受信する受信手段、表示データを２つの表示部に表示させる表示制御手段を有し、表示制御手段は、表示部への表示内容を更新させる際に、２つの表示部のうちのサーバー装置３から遠い方の表示部の表示内容を更新させる表示装置２とを備えた。【選択図】図１
2005338393.tif 000002
【特許請求の範囲】
【請求項１】
参照者が上半身に付けることができ、表示データを無線伝送方式により送信するサーバー装置と、
両面に２つの表示部、前記サーバー装置から前記表示データを受信する受信手段、前記表示データを前記２つの表示部に表示させる表示制御手段を有し、前記表示制御手段は、前記表示部への表示内容を更新させる際に、前記２つの表示部のうちの前記サーバー装置から遠い方の表示部の表示内容を更新させる表示装置と、を備えた表示システム。
【請求項２】
前記受信手段は、前記表示装置の両面にそれぞれ配置される第１の受信素子および第２の受信素子を有し、
前記表示制御手段は、前記第１の受信素子が受信した表示データを前記第２の受信素子の配置される側の前記表示部に表示させ、前記第２の受信素子が受信した表示データを前記第１の受信素子の配置される側の前記表示部に表示させる、請求項１に記載の表示システム。
【請求項３】
前記表示制御手段は、前記第１の受信素子の配置される側の表示部に表示させる第１の表示制御部と、前記第２の受信素子の配置される側の表示部に表示させる第２の表示制御部を有し、
前記第１の受信素子は、第２の表示制御部に接続され、前記第２の受信素子は、第１の表示制御部に接続されている、請求項２に記載の表示システム。
【請求項４】
前記無線伝送方式は、電磁波を用いた方式であり、
前記第１の受信素子および前記第２の受信素子は、いずれもアンテナであり、
前記第１の受信素子および前記第２の受信素子が、配置されているのとは反対側の面からの電磁波を受信できないように、前記第１の受信素子と前記第２の受信素子の間には導電性の部材が配置されている、請求項２に記載の表示システム。
【請求項５】
前記表示装置は、さらに、前記表示データを受信することにより、前記２つの表示部のうちの前記サーバー装置から遠い方の表示部を判別できる遠近判別用アンテナを有し、
前記表示制御手段は、前記遠近判別用アンテナが受信する信号に基づいて、前記２つの表示部のうちの前記サーバー装置から遠い方の前記表示部を判別する、請求項１に記載の表示システム。
【請求項６】
参照者が上半身に付けることができるサーバー装置から、表示データを無線伝送方式により送信するステップと、
両面に２つの表示部を有する表示装置が、前記サーバー装置から前記表示データを受信するステップと、
前記２つの表示部の表示内容を更新させる際に、前記２つの表示部のうちの前記サーバー装置から遠い方の表示部の表示内容を更新させるステップと、を備えた表示システムの表示方法。
【請求項７】
電気泳動方式を用いた表示部を有する、請求項１乃至５のいずれかに記載の表示システムの表示装置を備えた電子ブック。
【請求項８】
請求項１乃至５のいずれかに記載の、表示システムの前記表示制御手段としてコンピュータを機能させるためのプログラム。
【請求項９】
請求項８に記載のプログラムを担持した記録媒体であって、コンピュータで利用可能な記録媒体。
【発明の詳細な説明】
【技術分野】
【０００１】
本発明は、表示システム、表示方法および電子ブックに関するものである。例えば、電子ペーパー、電子ブック、携帯情報端末等の表示方法に関するものである。
【背景技術】
【０００２】
従来、電子ペーパー、電子ブック、携帯情報端末等の表示装置においては、電気泳動方式、電解析出方式などの、電源を切った後でも表示状態が保持される仕組みの表示素子を用いた表示装置がある。
【０００３】
電気泳動方式の表示装置としては、例えば、分散媒中に電気泳動粒子を分散させた分散系をマイクロカプセルに封入し、このマイクロカプセルを電極板間に配装した構成の表示装置がある（例えば、特許文献１参照）。
【０００４】
図９は、従来の、マイクロカプセルを電極板間に配装した構成の表示装置の概念的な要部構成断面図を示している。
【０００５】
一組のガラス板等からなる透明部材７１の対向面に各々形成された透明電極７２の間に、多数のマイクロカプセル７３が配装されている。各々のマイクロカプセル７３には、電気泳動粒子７４を分散媒中に分散させた分散系７５が封入されている。そして、マイクロカプセル７３相互の間隙、およびマイクロカプセル７３と透明電極７２との間隙には、屈折率および体積抵抗率が実質上マイクロカプセル７３に等しい物質７７が、注入孔７６を介して満たされている。なお、７８は端部封止材を示している。
【０００６】
このように構成された表示装置では、マイクロカプセル７３内の分散媒中の電気泳動粒子７４は、対向する２枚の透明電極７２間の極性に応じて移動する。２つの透明電極７２間の極性を、電気泳動粒子７４が一方の透明電極７２側に吸着または離反させるように制御することで、所望の文字、記号あるいは図形等を表示させることができる。
【特許文献１】特開昭６４−８６１１６号公報
【発明の開示】
【発明が解決しようとする課題】
【０００７】
しかしながら、電源を切った後でも表示状態が保持される仕組みの表示素子を有する従来の表示装置においては、応答速度が遅いために書き換えに時間が掛かるという課題があった。したがって、使用者は、表示内容が書き換えられる際には、新たな表示内容を見る前に、書き換え処理が終わるまで待たなければならなかった。
【０００８】
本発明は、上記従来の課題を解決するもので、表示更新時に使用者を待たせることのない表示システム、表示方法および電子ブックを提供することを目的とする。
【課題を解決するための手段】
【０００９】
上述した課題を解決するために、第１の本発明は、
参照者が上半身に付けることができ、表示データを無線伝送方式により送信するサーバー装置と、
両面に２つの表示部、前記サーバー装置から前記表示データを受信する受信手段、前記表示データを前記２つの表示部に表示させる表示制御手段を有し、前記表示制御手段は、前記表示部への表示内容を更新させる際に、前記２つの表示部のうちの前記サーバー装置から遠い方の表示部の表示内容を更新させる表示装置と、を備えた表示システムである。
【００１０】
第２の本発明は、
前記受信手段は、前記表示装置の両面にそれぞれ配置される第１の受信素子および第２の受信素子を有し、
前記表示制御手段は、前記第１の受信素子が受信した表示データを前記第２の受信素子の配置される側の前記表示部に表示させ、前記第２の受信素子が受信した表示データを前記第１の受信素子の配置される側の前記表示部に表示させる、第１の本発明の表示システムである。
【００１１】
第３の本発明は、
前記表示制御手段は、前記第１の受信素子の配置される側の表示部に表示させる第１の表示制御部と、前記第２の受信素子の配置される側の表示部に表示させる第２の表示制御部を有し、
前記第１の受信素子は、第２の表示制御部に接続され、前記第２の受信素子は、第１の表示制御部に接続されている、第２の本発明の表示システムである。
【００１２】
第４の本発明は、
前記無線伝送方式は、電磁波を用いた方式であり、
前記第１の受信素子および前記第２の受信素子は、いずれもアンテナであり、
前記第１の受信素子および前記第２の受信素子が、配置されているのとは反対側の面からの電磁波を受信できないように、前記第１の受信素子と前記第２の受信素子の間には導電性の部材が配置されている、第２の本発明の表示システムである。
【００１３】
第５の本発明は、
前記表示装置は、さらに、前記表示データを受信することにより、前記２つの表示部のうちの前記サーバー装置から遠い方の表示部を判別できる遠近判別用アンテナを有し、
前記表示制御手段は、前記遠近判別用アンテナが受信する信号に基づいて、前記２つの表示部のうちの前記サーバー装置から遠い方の前記表示部を判別する、第１の本発明の表示システムである。
【００１４】
第６の本発明は、
参照者が上半身に付けることができるサーバー装置から、表示データを無線伝送方式により送信するステップと、
両面に２つの表示部を有する表示装置が、前記サーバー装置から前記表示データを受信するステップと、
前記２つの表示部の表示内容を更新させる際に、前記２つの表示部のうちの前記サーバー装置から遠い方の表示部の表示内容を更新させるステップと、を備えた表示システムの表示方法である。
【００１５】
第７の本発明は、
電気泳動方式を用いた表示部を有する、第１乃至第５のいずれかの本発明の表示システムの表示装置を備えた電子ブックである。
【００１６】
第８の本発明は、
第１乃至第５のいずれかの本発明の、表示システムの前記表示制御手段としてコンピュータを機能させるためのプログラムである。
【００１７】
第９の本発明は、
第８の本発明のプログラムを担持した記録媒体であって、コンピュータで利用可能な記録媒体である。
【発明の効果】
【００１８】
本発明により、表示更新時に使用者を待たせることのない表示システム、表示方法および電子ブックを提供することができる。
【発明を実施するための最良の形態】
【００１９】
以下、本発明の表示装置について、図面を参照しながら説明する。
【００２０】
（実施の形態１）
図１に、本発明の実施の形態１における表示システムの使用形態を示す。
【００２１】
参照者１は、携帯型サーバー装置３をポケットに入れる、ペンダントとするなどの方法で上半身に装着しており、手に持った表示装置２に表示される内容を参照する。
【００２２】
携帯型サーバー装置３は、画像情報、文字情報等の表示データを内部に保存しており、必要に応じて表示データを選択して、無線伝送方式により送信する。そして、表示装置２は、携帯型サーバー装置３から送信された表示データを受信し、表示する。
【００２３】
図２は表示装置２の外観を示す概略図である。
【００２４】
図２に示されている側の面には、第１のアンテナ４ａ、第１の受信・表示制御手段５ａ、第１の表示手段６ａが備えられている。そして、図２には示されていない表示装置２の反対側の面には、第１のアンテナ４ａ、第１の受信・表示制御手段５ａ、第１の表示手段６ａと同様に、第２のアンテナ４ｂ、第２の受信・表示制御手段５ｂ、第２の表示手段６ｂが備えられている。第１の表示手段６ａは、第１の受信・表示制御手段５ａからの制御により、表示データを表示する。同様に、第２の表示手段６ｂは、第２の受信・表示制御手段５ｂからの制御により、表示データを表示する。
【００２５】
なお、第１の表示手段６ａおよび第２の表示手段６ｂが、本発明の２つの表示部の一例である。また、第１の受信・表示制御手段５ａおよび第２の受信・表示制御手段５ｂは、それぞれ、本発明の第１の表示制御部および第２の表示制御部の一例である。
【００２６】
図３は、表示装置２の配線状況を示す断面図である。
【００２７】
図２の概略図に示したものと共通の構成要素については、図２と同一番号を付与している。表示装置２は、第１の配線７ａ、第２の配線７ｂ、導電性基板８を備えている。なお、導電性基板８が、本発明の導電性の部材の一例である。
【００２８】
第１のアンテナ４ａは、第１の配線７ａにより、表示装置２において反対側の面に配置されている第２の受信・表示制御手段５ｂに接続されている。同様に、第２のアンテナ４ｂは、第２の配線７ｂにより、表示装置２において反対側の面に配置されている第１の受信・表示制御手段５ａに接続されている。
【００２９】
次に、図１〜図３を用いて、本実施の形態１の表示システムの動作について説明する。
【００３０】
表示装置２の第１のアンテナ４ａの取り付けられている側の面が携帯型サーバー装置３に向いているとすると、携帯型サーバー装置３から送信された表示データは、第１のアンテナ４ａを介して第２の受信・表示制御手段５ｂに受信され、第２の表示手段６ｂに表示される。一方、第２のアンテナ４ｂは、携帯型サーバー装置３から見ると導電性基板８によってシールドされている形になり、携帯型サーバー装置３から送信された表示データを受信できないので、第１の受信・表示制御手段５ａは表示内容を更新しない。なお、この場合、携帯型サーバー装置３には向いていない側に配置されている第２の表示手段６ｂが、本発明の、サーバー装置から遠い方の表示部の一例である。
【００３１】
このとき、携帯型サーバー装置３の側、すなわち参照者１の側には第１の表示手段６ａが向いているため、参照者１が第１の表示手段６ａに表示されている情報を見ている間に、参照者１にとっては裏面である第２の表示手段６ｂの表示内容が書き換えられる。従って、参照者に書き換え途中の画面を見せたままで書き換えの完了を待たせることなく、快適に情報を参照することが可能となる。
【００３２】
図４に、本実施の形態１における携帯型サーバー装置３のブロック図を示す。
【００３３】
携帯型サーバー装置３は、送受信アンテナ３０、通信手段３１、送信側制御手段３２、記憶メディア３３を備えている。
【００３４】
記憶メディア３３は、表示装置２で参照可能な表示データを多数記憶しており、送信側制御手段３２の制御により、必要な表示データが選択され、通信手段３１に出力される。送信側制御手段３２は、通信手段３１及び送受信アンテナ３０を介して表示装置２と交信する。その後、送信側制御手段３２は、表示装置２との交信内容に応じて必要な表示データを選択し、記憶メディア３３に記憶されている表示データを、通信手段３１及び送受信アンテナ３０を介して表示装置２に転送させる。
【００３５】
表示装置２が、携帯型サーバー装置３に向いていない側の面に配置されている表示手段に表示データを表示するしくみについては、先に図１〜図３を用いて説明した通りである。本実施の形態１においては、それ以外に送信側制御手段３２に必要な表示データの選択情報を伝えること、および表示データの更新タイミングを伝えることが必要になる。これらについて以下に説明する。
【００３６】
図５に、本実施の形態１における表示装置２のブロック図を示す。図２および図３に示したものと共通の構成要素については、同一番号を付与している。
【００３７】
第１の受信・表示制御手段５ａは、固有の第１のＩＤを第２のアンテナ４ｂを介して送信する。同様に、第２の受信・表示制御手段５ｂは、固有の第２のＩＤを第１のアンテナ４ａを介して送信する。また、参照したい表示データの選択情報は、参照者１が図示しない入力手段を用いて入力し、第１の受信・表示制御手段５ａおよび第２の受信・表示制御手段５ｂに伝えられる。そして、第１の受信・表示制御手段５ａおよび第２の受信・表示制御手段５ｂは共に、表示データの選択情報を、第２のアンテナ４ｂおよび第１のアンテナ４ａを介して送信する。
【００３８】
先に述べたように、第１のアンテナ４ａと第２のアンテナ４ｂの間は導電性基板８によりシールドされているため、携帯型サーバー装置３の送受信アンテナ３０には、携帯型サーバー装置３に向いた側の面に配置されているほうのアンテナ（４ａまたは４ｂ）から送信されたＩＤしか受信されない。従って、送信側制御手段３２は、通信手段３１および送受信アンテナ３０を介して受信されるＩＤを監視することで、参照者１が表示部２をひっくり返すタイミングを知ることが出来る。一方で、表示データの選択情報は、第１のアンテナ４ａおよび第２のアンテナ４ｂの両方から送信されるので、送信側制御手段３２は、送受信アンテナ３０および通信手段３１を介して、常に受信することが可能である。
【００３９】
参照者１が、第１の受信・表示制御手段５ａおよび第２の受信・表示制御手段５ｂに、参照したい表示データの選択情報を入力する方法としては多くの方法が考えられる。例えば、画像表示手段の撓みを検出し、その撓みに応じて画像データをページ戻しまたはページ送りして表示する方法などが提案されている。ここでは、表示データの選択方法は本願発明の本質ではないので、これ以上は説明しない。
【００４０】
先に図１及び図２を用いて説明したのと同様に、第１のアンテナ４ａが配置されている側の面が携帯型サーバー装置３に向いていた場合には、第１のアンテナ４ａで受信した表示データが、第２の受信・表示制御手段５ｂによって第２の表示手段６ｂに表示される。それと同時に、第２の受信・表示制御手段５ｂによって送信された第２のＩＤが、携帯型サーバー装置３の通信手段３１によって受信され、送信側制御手段３２に伝えられる。
【００４１】
その後、参照者１が表示装置２をひっくり返して、第２の表示手段６ｂの表示内容を参照すると、今度は第２のアンテナ４ｂが携帯型サーバー装置３の方に向くことになる。従って、今度は、第１の受信・表示制御手段５ａが送信した第１のＩＤが携帯型サーバー装置３の通信手段３１によって受信され、送信側制御手段３２に伝えられるようになる。そして、送信側制御手段３２は、この受信ＩＤの反転を受けて次に表示するべき表示データを選択し、通信手段３１および送受信アンテナ３０を介して送信する。
【００４２】
この際、画像データが表示手段に一度に表示できる単位を１ページデータとして、携帯型サーバー装置３には複数ページデータが並んだ構成が保存されており、受信ＩＤが反転するごとに、頭から順に次のページデータが送信されるようにすると、参照者１が表示装置２の表側で、あるページを参照している間に、裏側が次のページに書き換えられている、という動作になる。
【００４３】
なお、ページの表示順、さらには表示データをページ単位で扱うかどうか、ということは本発明の本質ではない。参照者１が表示装置２をひっくり返すごとに数ページ先、もしくは数ページ後ろのデータが表示されるようにすることも可能であるし、表示データの一部だけを更新することも可能である。
【００４４】
図６は、表裏両面から参照可能な表示装置２の一例の断面を示す概念図である。
【００４５】
この表示装置２は、第１の表示手段６ａ、第２の表示手段６ｂ、導電性基板８を備えており、図６はその断面図を示している。また、第１の表示手段６ａおよび第２の表示手段６ｂは、それぞれ、背面板４０、背面電極４１、透明電極４５、透明基板４６、マイクロカプセル４７を備えており、マイクロカプセル４７には、黒色帯電粒子４２、オイル４３、白色帯電粒子４４が封入されている。
【００４６】
第１の表示手段６ａは、オイル４３に黒色帯電粒子４２と白色帯電粒子４４を分散させたものを、マイクロカプセル４７内に封入し、該マイクロカプセル４７を、背面電極４１が配線された背面板４０と、透明電極４５が配線された透明基板４６との間に２次元配列状に敷き詰めたものである。背面電極４１及び透明電極４５はマトリクス状に配線され、第１の受信・表示制御手段５ａからマトリクスの所望の交点に対して所望の電界を印加することが可能である。
【００４７】
いま、黒色帯電粒子４２が正に帯電し、白色帯電粒子４４が負に帯電しているとする。このとき、第１の表示手段６ａにおいて、特定の部分に透明電極４５が正、背面電極４１が負になるように電界が印加されると、その間に位置するマイクロカプセル４７中で、白色帯電粒子４４は透明電極４５側、黒色帯電粒子４２は背面電極４１側に、それぞれ泳動するため、この部分は透明基板４６側からは白く見える。別の部分に、逆に透明電極４５が負、背面電極４１が正になるように電界が印加されると、この部分は透明基板４６側からは黒く見えるようになる。このようにして、透明電極４５と背面電極４１間の電界を制御することにより、透明基板４６側に画像を表示させることが可能になる。
【００４８】
第２の表示手段６ｂは、表示装置２全体の導電性基板８を中心として、第１の表示手段６ａを裏返しにした構成となっており、第１の表示手段６ａと同様に、第２の受信・表示制御手段５ｂから電界を印加することにより、透明基板４６側に画像を表示させることが可能である。
【００４９】
これらの表示状態は、印加されていた電界が消滅しても保持されるが、白色帯電粒子４４及び黒色帯電粒子４２が泳動するのに一定の時間が必要なため、表示画像の書き換えには時間が掛かる。
【００５０】
また、本実施の形態１では、送信装置１０から送信される表示データを電磁波により送信させることとしたが、赤外線で送信させるようにしてもよい。この場合は、表示装置２の第１のアンテナ４ａおよび第２のアンテナ４ｂの２つのアンテナの代わりに、表示装置２の両面に赤外線の受光素子を備えさせる構成にすることにより実現できる。赤外線を用いた場合には、反対側の面の受光素子に受光されることがないので、より確実に、携帯型サーバー装置３側に向いている側の面を判別できる。
【００５１】
（実施の形態２）
図７に、本発明の実施の形態２における表示システムの表示装置２０の外観の概略図を、図８にそのブロック図を示す。本実施の形態２の表示システムの仕様形態は、図１に示すように実施の形態１と同様であるが、表示装置２０の構成が、実施の形態１の表示装置２とは異なる。
【００５２】
実施の形態１では、表示装置２の両面に第１のアンテナ４ａおよび第２のアンテナ４ｂの２つのアンテナを設けたことにより、携帯型サーバー装置３側に向いている面を認識させたが、本実施の形態２では、遠近判別用アンテナを設けたことにより、携帯型サーバー装置３側に向いている面を認識させる点が異なる。
【００５３】
図７に示すように、本実施の形態２の表示システムの表示装置２０は、データ送受信用アンテナ２２とは別に、遠近判別用アンテナ２１を備えている。データ送受信用アンテナ２２および遠近判別用アンテナ２１は、ともに、表示装置２０の両面からの電磁波を受信できるように配置されている。遠近判別用アンテナ２１は、携帯型サーバー装置３側から受信する電波により表示装置２０のいずれの面が携帯型サーバー装置３側に向いているかを判別できるようになっている。
【００５４】
図７に示されている側の面には、第１の表示手段２６ａが備えられており、図７に示されていない反対側の面には、同様に、第２の表示手段２６ｂが備えられている。また、第１の表示手段２６ａおよび第２の表示手段２６ｂへの表示を制御する受信・表示制御手段２５が備えられている。
【００５５】
次に、図１および図８を用いて、本実施の形態２の表示システムの動作について説明する。
【００５６】
遠近判別用アンテナ２１は指向性を有するアンテナであり、同じ強度の電波を受信する場合には、第１の表示手段２６ａの向いている側から受ける方が、第２の表示手段２６ｂの向いている側から受けるよりも強く受信されるようになっている。
【００５７】
参照者１が上半身に付けている携帯型サーバー装置３は、遠近判別用ＩＤを無線送信する。そして、表示装置２０の受信・表示制御手段２５は、遠近判別用アンテナ２１を介して、この遠近判別用ＩＤを受信する。受信・表示制御手段２５は、この遠近判別用ＩＤを受信したときの電波強度を予め決められた所定の電波強度と比較し、その所定の電波強度よりも大きい場合には、第１の表示手段２６ａ側の面が携帯型サーバー装置３に向いている面と判断し、所定の電波強度よりも小さい場合には、第２の表示手段２６ｂ側の面が携帯型サーバー装置３に向いている面と判断する。
【００５８】
ここで、第１の表示手段２６ａ側の面が携帯型サーバー装置３に向いている面と判断した場合には、受信・表示制御手段２５は、次に第２の表示手段２６ｂに表示させる表示データの要求をデータ送受信用アンテナ２２を介して携帯型サーバー装置３に送信し、携帯型サーバー装置３から受信した表示データで、第２の表示手段２６ｂの表示内容を書き換える。反対に、第２の表示手段２６ｂ側の面が携帯型サーバー装置３に向いている面と判断した場合には、受信・表示制御手段２５は、次に第１の表示手段２６ａに表示させる表示データの要求をデータ送受信用アンテナ２２を介して携帯型サーバー装置３に送信し、携帯型サーバー装置３から受信した表示データで、第１の表示手段２６ａの表示内容を書き換える。
【００５９】
本実施の形態２の表示装置２０も、実施の形態１と同様に、図６に示すような、表示画素の書き替えに時間がかかるような構成の表示装置を使用することができる。
【００６０】
なお、各実施の形態においては、表示装置がひっくり返されたことを認識して、参照者１から遠い方になった裏側の面の表示手段の表示内容を書き換えることとしたが、表示装置がひっくり返された状態がある程度持続した後に裏側になった面の表示手段の表示内容の書き換え処理を行なわせるようにしてもよい。例えば、ひっくり返された状態が所定時間、例えば５秒間持続された後に、裏側になった面の表示手段の表示内容を書き換えるようにする。
【００６１】
このようにすることで、例えば、参照者１が表示装置をひっくり返した後に、すぐに再度ひっくり返して元の表示内容を確認しようとした場合でも、書き換えられる前の元の表示内容を確認することができる。また、参照者１の表示装置を持つ角度が一時的に変化して、一時的に表示装置がひっくり返されたと判断された場合でも、参照者１が参照している側の面を誤って書き替えてしまうことを防止することができる。
【００６２】
以上、各実施の形態においては、表裏両面に表示可能な表示装置において、参照者１が参照している面とは反対側の面の情報を書き換えることで、参照者１に書き換え途中の画面を見せたままで書き換えの完了を待たせることなく、快適に情報を参照することが可能な表示装置を提供することが出来る。
【００６３】
なお、各実施の形態においては、表示手段として電気泳動方式を用いて説明したが、本発明はこれに限定されるものではなく、電解析出方式や液晶表示方式でも良い。また、モノクロの表示手段を用いて説明したが、カラー化した表示手段でも良い。
【００６４】
また、各実施の形態では、携帯型サーバー装置３は、記憶メディア３３に表示データを記憶させている構成としたが、記憶メディア３３の代わりに外部から表示データを受信する受信機能を備えさせ、外部から受信した表示データを表示装置２に送信するような、表示データを中継して送信させる構成にしてもよい。この場合、外部から受信する方法は、無線、有線を問わず、どのような方法で受信するようにしてもよい。
【００６５】
また、電子ペーパー、電子ブック、携帯情報端末等に本発明の表示装置を備えさせることにより、表示更新時に使用者を待たせることのない電子ペーパー、電子ブック、携帯情報端末等を実現することができる。
【００６６】
なお、本発明のプログラムは、上述した本発明の表示装置の表示制御手段の機能をコンピュータにより実行させるためのプログラムであって、コンピュータと協働して動作するプログラムである。
【００６７】
また、本発明の記録媒体は、上述した本発明の表示装置の表示制御手段の機能をコンピュータにより実行させるためのプログラムを担持した記録媒体であり、コンピュータにより読み取り可能かつ、読み取られた前記プログラムが前記コンピュータと協働して利用される記録媒体である。
【００６８】
また、本発明のプログラムの一利用形態は、コンピュータにより読み取り可能な記録媒体に記録され、コンピュータと協働して動作する態様であっても良い。
【００６９】
また、記録媒体としては、ＲＯＭ等が含まれ、伝送媒体としては、インターネット等の伝送媒体、光・電波・音波等が含まれる。
【００７０】
また、上述した本発明のコンピュータは、ＣＰＵ等の純然たるハードウェアに限らず、ファームウェアや、ＯＳ、更に周辺機器を含むものであっても良い。
【００７１】
なお、以上説明した様に、本発明の構成は、ソフトウェア的に実現しても良いし、ハードウェア的に実現しても良い。
【産業上の利用可能性】
【００７２】
本発明にかかる表示システムは、電子ペーパー、電子ブック、携帯情報端末として有用であり、特に電源を切っても表示状態が保持されたまま参照することを可能とする用途に適している。
【図面の簡単な説明】
【００７３】
【図１】本発明の実施の形態１および２における表示システムの使用形態を示す図
【図２】本発明の実施の形態１の表示装置２の外観を示す概略図
【図３】本発明の実施の形態１の表示装置２の配線状況を示す断面図
【図４】本発明の実施の形態１の携帯型サーバー装置３のブロック図
【図５】本発明の実施の形態１の表示装置２のブロック図
【図６】本発明の実施の形態１の表裏両面から参照可能な表示装置２の一例の断面を示す概念図
【図７】本発明の実施の形態２の表示装置２の外観を示す概略図
【図８】本発明の実施の形態２の表示装置２０のブロック図
【図９】従来の電気泳動方式を用いた表示装置の概念的な要部構成断面図
【符号の説明】
【００７４】
１  参照者
２  表示装置
３  携帯型サーバー装置
４ａ  第１のアンテナ
４ｂ  第２のアンテナ
５ａ  第１の受信・表示制御手段
５ｂ  第２の受信・表示制御手段
６ａ  第１の表示手段
６ｂ  第２の表示手段
７ａ  第１の配線
７ｂ  第２の配線
８  導電性基板
２０  表示装置
２１  遠近判別用アンテナ
２２  データ送受信用アンテナ
２５  受信・表示制御手段
２６ａ  第１の表示手段
２６ｂ  第２の表示手段
【図１】
2005338393.tif 000003
【図２】
2005338393.tif 000004
【図３】
2005338393.tif 000005
【図４】
2005338393.tif 000006
【図５】
2005338393.tif 000007
【図６】
2005338393.tif 000008
【図７】
2005338393.tif 000009
【図８】
2005338393.tif 000010
【図９】
2005338393.tif 000011